(57)【要約】【課題】タンクの形状をシンプルな形状に構成できる水石鹸吐出装置を提供すること。【解決手段】水石鹸吐出装置３は、手洗用の設備１に設けられ、水石鹸を吐出する水石鹸吐出器具３０と、水石鹸吐出器具３０に供給される水石鹸を貯留するタンク４１と、タンク４１の側面４１ｃ又は底面に設けられた取出口４１３と、取出口４１３に接続され、タンク４１に貯留された水石鹸を水石鹸吐出器具３０に向けて送出するポンプ４２と、を備える。【選択図】図４
2018019778.tif 000002
【特許請求の範囲】
【請求項１】
手洗用の設備に設けられ、水石鹸を吐出する水石鹸吐出器具と、
前記水石鹸吐出器具に供給される水石鹸を貯留するタンクと、
前記タンクの側面又は底面に設けられた取出口と、
前記取出口に接続され、前記タンクに貯留された水石鹸を前記水石鹸吐出器具に向けて送出するポンプと、を備える水石鹸吐出装置。
【請求項２】
前記取出口は、前記タンクの側面に設けられる請求項１に記載の水石鹸吐出装置。
【請求項３】
前記ポンプは、前記タンクの側方に配置される請求項１又は２に記載の水石鹸吐出装置。
【請求項４】
前記タンクは、上部に配置される上側貯留部と、前記上側貯留部の下部に接続され前記上側貯留部よりも平面視における面積が小さい下側貯留部と、を有する請求項１から３のいずれかに記載の水石鹸吐出装置。
【請求項５】
前記タンク及び前記ポンプを収容する金属製の筐体を更に備える請求項１から４のいずれかに記載の水石鹸吐出装置。
【請求項６】
前記ポンプを複数備え、
複数の前記ポンプは、分岐配管を介して前記取出口に接続される請求項１から５のいずれかに記載の水石鹸吐出装置。
【発明の詳細な説明】
【技術分野】
【０００１】
本発明は、水石鹸吐出装置に関する。
【背景技術】
【０００２】
従来、手洗用の設備に設けられ水石鹸を吐出する水石鹸吐出器具と、水石鹸吐出器具に供給される水石鹸を貯留するタンクと、タンクの内部と水石鹸吐出器具とを接続する水石鹸チューブと、水石鹸チューブを介してタンクに貯留された水石鹸を水石鹸吐出器具に向けて送出するポンプと、を備える水石鹸吐出装置が知られている（例えば、特許文献１参照）。
【０００３】
特許文献１に記載のポンプは、タンクの上面に配置されるポンプ本体と、ポンプ本体の下部に接続されタンクの上面からタンクの内部に差し込まれるポンプ管と、を有する。ポンプは、ポンプ本体に含まれるモータなどの駆動力により、ポンプ管を介して、水石鹸チューブに水石鹸を送出し、水石鹸チューブに送出された水石鹸は、水石鹸チューブを通して水石鹸吐出器具に向けて送出される。
【先行技術文献】
【特許文献】
【０００４】
【特許文献１】特開２００６−２７１４０４号公報
【発明の概要】
【発明が解決しようとする課題】
【０００５】
特許文献１に記載のポンプは、ポンプ本体をタンクの上面に配置すると共にポンプ管をタンクの上面から差し込む構造であるため、構造が複雑になりがちである。また、例えば、水石鹸吐出器具を複数備える場合には、タンクの上面から複数のポンプ管を差し込むため、複数のポンプ管の差し込み用の穴を、タンクの上面に形成する必要がある。そのため、タンクの上面からポンプ管を差し込む構造の場合には、タンクの形状が複雑になりがちである。
【０００６】
本発明は、タンクの形状をシンプルな形状に構成できる水石鹸吐出装置を提供することを目的とする。
【課題を解決するための手段】
【０００７】
本発明は、手洗用の設備（例えば、後述の手洗装置１）に設けられ、水石鹸を吐出する水石鹸吐出器具（例えば、後述の水石鹸吐出器具３０）と、前記水石鹸吐出器具に供給される水石鹸を貯留するタンク（例えば、後述の水石鹸タンク４１）と、前記タンクの側面又は底面に設けられた取出口（例えば、後述の取出口４１３）と、前記取出口に接続され、前記タンクに貯留された水石鹸を前記水石鹸吐出器具に向けて送出するポンプ（例えば、後述の水石鹸用ポンプ４２）と、を備える水石鹸吐出装置に関する。
【０００８】
また、前記取出口は、前記タンクの側面に設けられることが好ましい。
【０００９】
また、前記ポンプは、前記タンクの側方に配置されることが好ましい。
【００１０】
また、前記タンクは、上部に配置される上側貯留部（例えば、後述の上側貯留部４１１ａ）と、前記上側貯留部の下部に接続され前記上側貯留部よりも平面視における面積が小さい下側貯留部（例えば、後述の下側貯留部４１１ｂ）と、を有することが好ましい。
【００１１】
また、前記タンク及び前記ポンプを収容する金属製の筐体（例えば、後述の金属筐体７０）を更に備えることが好ましい。
【００１２】
また、前記ポンプを複数備え、複数の前記ポンプは、分岐配管（例えば、後述のポンプ上流側供給管４３１）を介して前記取出口に接続されることが好ましい。
【発明の効果】
【００１３】
本発明によれば、タンクの形状をシンプルな形状に構成できる水石鹸吐出装置を提供することができる。
【図面の簡単な説明】
【００１４】
【図１】本発明の一実施形態に係る手洗装置の全体斜視図である。
【図２】本発明の一実施形態に係る水石鹸吐出装置の全体斜視図である。
【図３】水石鹸吐出装置の水石鹸タンク及び水石鹸用ポンプが金属筐体に収容される構成を示す斜視図である。
【図４】金属筐体に収容される水石鹸タンク及び水石鹸用ポンプの位置関係を示す側面図である。
【図５】図４のＡ−Ａ線断面図であって、金属筐体に収容される水石鹸タンク及び水石鹸用ポンプの位置関係を示す図である。
【発明を実施するための形態】
【００１５】
以下、本発明の一実施形態について、図面を参照しながら説明する。なお、本発明は以下の実施形態に限定されるものではない。図１は、本発明の一実施形態に係る手洗装置１の全体斜視図である。図２は、本発明の一実施形態に係る水石鹸吐出装置３の全体斜視図である。図３は、水石鹸吐出装置３の水石鹸タンク４１及び水石鹸用ポンプ４２が金属筐体７０に収容される構成を示す斜視図である。図４は、金属筐体７０に収容される水石鹸タンク４１及び水石鹸用ポンプ４２の位置関係を示す側面図である。図５は、図４のＡ−Ａ線断面図であって、金属筐体７０に収容される水石鹸タンク４１及び水石鹸用ポンプ４２の位置関係を示す図である。
【００１６】
なお、本実施形態においては、手洗装置１及び水石鹸吐出装置３を正面から視た場合（手洗装置１及び水石鹸吐出装置３に対面した場合）における左右の向きを左右方向Ｘといい、左右方向Ｘの左側をＸ１、左右方向Ｘの右側をＸ２という。また、手洗装置１及び水石鹸吐出装置３を正面から視た場合（手洗装置１及び水石鹸吐出装置３に対面した場合）における前後の向きを前後方向Ｙといい、前後方向Ｙの前方側をＹ１、前後方向Ｙの後方側をＹ２という。上下方向Ｚは、左右方向Ｘ及び前後方向Ｙと直交する。
【００１７】
本実施形態に係る水石鹸吐出装置３は、例えば鉄道の駅等の公共施設のトイレや洗面所に設置される手洗装置１（手洗用の設備）に自動水栓等の吐水装置と共に設置され、人の手等の物体をセンサで検知し、その検知信号に基づいて自動的に水石鹸の吐出を行うものである。
【００１８】
図１に示すように、本実施形態に係る手洗装置１は、３つの吐水装置２０と、水石鹸吐出装置３と、３つのボウル１０１と、台１１０と、を備える。水石鹸吐出装置３は、図１〜図３に示すように、３つの水石鹸吐出器具３０と、水石鹸供給部４０と、エア供給部５０と、制御ユニット６０と、水石鹸吐出装置３の一部を収容する金属筐体７０と、を有する。
【００１９】
台１１０は、手洗装置１における下部を構成し、左右方向Ｘに長く形成されている。台１１０の内部には、水石鹸吐出装置３の一部が金属筐体７０に囲まれた状態で収容され、かつ、図示しない排水管やその他の配管等の設備機器が収容される。
また、台１１０の上方において、台１１０の左右方向Ｘに沿って、３組の手洗部１０が並んで配置されている。１組の手洗部１０は、ボウル１０１と、吐水装置２０と、水石鹸吐出器具３０と、を含んで構成される。
【００２０】
本実施形態においては、３組の手洗部１０として、一方側（本実施形態においては、例えば、図１における左側Ｘ１）から他方側（本実施形態においては、例えば、図１における右側Ｘ２）に向けて順に、第１手洗部１０Ａと、第２手洗部１０Ｂと、第３手洗部１０Ｃと、が並んで配置される。なお、本実施形態の説明においては、特別に区別する必要が無い場合には、第１手洗部１０Ａ、第２手洗部１０Ｂ及び第３手洗部１０Ｃを、単に「手洗部１０」と記載する。
【００２１】
第１手洗部１０Ａ、第２手洗部１０Ｂ及び第３手洗部１０Ｃは、それぞれ、ボウル１０１、吐水装置２０及び水石鹸吐出器具３０を含んで構成される。
【００２２】
吐水装置２０は、吐水装置本体２１の先端側に、物体を検知するセンサ２２と、吐水口２３と、を有する。吐水装置２０は、人の手等の物体がセンサ２２の検知範囲内に入ることでセンサ２２が物体を検知すると、自動的に吐水口２３から水（あるいは湯）を吐出する。
【００２３】
水石鹸吐出器具３０は、図１に示すように、器具本体３１の先端側に、物体を検知するセンサ３２と、吐出口部３３と、を有する。吐出口部３３は、水石鹸と空気が混合されることで形成される泡を先端部から吐出する。センサ３２は、後述する制御ユニット６０と電気的に接続されており、物体を検知すると検知信号を制御ユニット６０に送信する。水石鹸吐出器具３０は、人の手等の物体がセンサ３２の検知範囲内に入ることでセンサ３２が物体を検知すると、自動的に吐出口部３３から水石鹸を吐出する。水石鹸吐出器具３０は、後述する水石鹸吐出装置３の一部を構成する。なお、水石鹸吐出装置３における水石鹸吐出器具３０以外の構成については後述する。
【００２４】
ボウル１０１は、吐水装置２０から吐水され手洗いに使用された水や、水石鹸吐出器具３０から吐出され手洗いに使用された水石鹸を受けて排出する。ボウル１０１の略中央の窪みには排水口１０２が形成されている。排水口１０２は、図示しない排水管と連通している。ボウル１０１が受けた水や水石鹸は、排水口１０２に導かれ、排水口１０２から排水管を通じて下水道等の外部に排出される。
【００２５】
本実施形態に係る水石鹸吐出装置３の構成について説明する。
水石鹸吐出装置３は、図２及び図３に示すように、３つの水石鹸吐出器具３０と、水石鹸供給部４０と、エア供給部５０と、制御ユニット６０と、水石鹸供給部４０の一部及び制御ユニット６０を収容する金属筐体７０と、を有する。３つの水石鹸吐出器具３０は、前述の通り、手洗装置１の３組の手洗部１０それぞれに配置される。
【００２６】
水石鹸供給部４０は、図３〜図５に示すように、水石鹸タンク４１（タンク）と、３つの水石鹸用ポンプ４２（ポンプ）と、水石鹸供給管４３と、水石鹸補給部４４と、を備える。
【００２７】
金属筐体７０は、水石鹸供給部４０の水石鹸タンク４１、３つの水石鹸用ポンプ４２及び制御ユニット６０を収容した状態で、例えば、図１に示すように、台１１０の内部における左側Ｘ１の端部側の下部に配置される。金属筐体７０は、金属材料により形成される。金属筐体７０は、図３及び図４に示すように、１つの水石鹸タンク４１、３つの水石鹸用ポンプ４２、水石鹸供給管４３の一部及び制御ユニット６０を囲むように、金属筐体７０の外形は、全ての方向において囲む直方体形状に形成される。
【００２８】
金属筐体７０は、図３に示すように、Ｌ字形状の第１板金７１と、Ｕ字形状の第２板金７２と、平板状の第３板金７３と、を備える。
【００２９】
第１板金７１は、左右方向Ｘに視た場合にＬ字形状に形成される。第１板金７１は、１枚の金属板を折り曲げて形成されている。第１板金７１は、底面板７１１と、底面板７１１の後方側Ｙ２の端部に接続される背面板７１２と、を備える。
【００３０】
底面板７１１は、金属筐体７０の底面を構成し、左右方向Ｘ及び前後方向Ｙに沿った平面状に形成され、平面視における外形が矩形状に形成される。底面板７１１は、左右方向Ｘに長く延びて形成される。
【００３１】
底面板７１１の上部には、水石鹸タンク４１、３つの水石鹸用ポンプ４２、水石鹸供給管４３の一部、制御ユニット６０が配置される。底面板７１１の上部には、左側Ｘ１に水石鹸タンク４１が配置され、水石鹸タンク４１の右側Ｘ２に制御ユニット６０が配置される。水石鹸タンク４１の下方の空間Ｋには、３つの水石鹸用ポンプ４２及び水石鹸供給管４３などが配置される。
底面板７１１の左右方向Ｘの両端の縁部及び前後方向Ｙの前方側Ｙ１の縁部には、左右方向Ｘ又は前後方向Ｙに沿って、複数のねじ孔７１１ａが形成される。
【００３２】
背面板７１２は、底面板７１１の後方側Ｙ２の端部から上方に底面板７１１に対して直角に延びる。背面板７１２は、左右方向Ｘ及び上下方向Ｚに沿った平面状に形成され、背面視における外形が矩形状に形成される。背面板７１２は、底面板７１１の上部に配置された、水石鹸タンク４１、３つの水石鹸用ポンプ４２、水石鹸供給管４３の一部、制御ユニット６０を、後方側Ｙ２から覆う。
【００３３】
制御ユニット６０は、底面板７１１の上方において、左右方向Ｘの右側Ｘ２の端部側に配置されている。制御ユニット６０は、左右方向Ｘの右側Ｘ２の端部側において、左右方向Ｘに幅をもった範囲で、且つ、前後方向Ｙ及び上下方向Ｚに広がる範囲に配置されている。
【００３４】
制御ユニット６０（制御部）は、ＣＰＵ及びメモリを含んで構成され、水石鹸吐出器具３０や水石鹸用ポンプ４２やエアポンプ５１の動作を制御することで、水石鹸吐出装置３を制御する。制御ユニット６０は、制御用ＩＣや、制御用ＩＣなどが実装される回路基板を備える。制御ユニット６０は、センサ３２からの検知信号に基づき水石鹸用ポンプ４２及びエアポンプ５１に制御信号を送信し、水石鹸吐出器具３０への水石鹸及び空気の供給の有無を切り替えるように制御する。
【００３５】
背面板７１２の上端部には、金属筐体７０の内側に直角に屈曲し且つ左右方向Ｘに細い幅で延びる取付板部７１２ａが形成される。取付板部７１２ａは、上面が水平面で形成される。取付板部７１２ａの上面には、第１板金７１に第３板金７３が取り付けられた状態において、第３板金７３の後方側Ｙ２の端部の下面が対向して配置される。
【００３６】
背面板７１２の取付板部７１２ａには、左右方向Ｘに沿って、複数のねじ孔７１２ｂが形成される。背面板７１２の左右方向Ｘの両端の縁部には、上下方向Ｚに沿って、複数のねじ孔７１２ｂが形成される。
【００３７】
以上の底面板７１１及び背面板７１２で構成される第１板金７１には、制御ユニット６０や水石鹸タンク４１をはじめとしたすべての機能部品が固定される。本実施形態においては、背面板７１２には、制御ユニット６０が、固定金具（図示せず）を介して、固定されている。また、水石鹸タンク４１も、後述するタンク固定金具４１４により背面板７１２および底面板７１１に固定されている。
【００３８】
第２板金７２は、上下方向Ｚに視た場合にＵ字形状に形成される。第２板金７２は、１枚の金属板を折り曲げて形成されている。第２板金７２は、第１板金７１に取り付けられる。第２板金７２は、第１板金７１に取り付けられた状態において、背面板７１２に対向して配置される前面板７２１と、前面板７２１の両端部から後方側Ｙ２に延びる一対の側面板７２２，７２２と、を備える。
【００３９】
前面板７２１は、左右方向Ｘ及び上下方向Ｚに沿った平面状に形成され、前面視における外形が矩形状に形成される。前面板７２１は、底面板７１１に配置された、水石鹸タンク４１、３つの水石鹸用ポンプ４２、水石鹸供給管４３の一部、制御ユニット６０を、前方側Ｙ１から覆う。
【００４０】
一対の側面板７２２，７２２は、それぞれ、前面板７２１の左右方向Ｘの両端部から後方側Ｙ２に前面板７２１に対して直角に延びる。一対の側面板７２２，７２２は、それぞれ、前後方向Ｙ及び上下方向Ｚに沿った平面状に形成され、側面視における外形が矩形状に形成される。一対の側面板７２２，７２２は、底面板７１１に配置された、水石鹸タンク４１、３つの水石鹸用ポンプ４２、水石鹸供給管４３の一部、制御ユニット６０を、左側Ｘ１及び右側Ｘ２から覆う。
【００４１】
一対の側面板７２２，７２２のうち、右側Ｘ２の側面板７２２には、開口７２ａが形成されている。開口７２ａは、水石鹸供給管４３や、制御ユニット６０と水石鹸吐出器具３０とを接続する接続ケーブル（図示せず）や、制御ユニット６０とエアポンプ５１とを接続する接続ケーブル（図示せず）が挿通される。開口７２ａは、側面板７２２における下方側であって前方側Ｙ１の角部に形成されている。ここで、開口７２ａは、右側Ｘ２から視た場合に、後述する制御ユニット６０が配置される位置を避けた位置に形成されている。これにより、仮に開口７２ａから水が浸入しても、制御ユニット６０に水がかかることを低減できる。
【００４２】
前面板７２１の上端部、下端部、一対の側面板７２２，７２２の上端部、下端部及び後端部には、それぞれ、金属筐体７０の内側に直角に屈曲し端部に沿って細い幅で延びる取付板部７２２ａが形成される。取付板部７２２ａには、第１板金７１に第２板金７２が取り付けられ且つ第２板金７２に第３板金７３が取り付けられた状態において、外部に向く面が、第１板金７１の端部及び第３板金７３の端部に対向して配置される。
前面板７２１および側面板７２２の取付板部７２２ａには、左右方向Ｘ、前後方向Ｙ又は上下方向Ｚに沿って、複数のねじ孔７２２ｂが形成される。
【００４３】
第３板金７３は、平板状に形成される。第３板金７３は、平面視における外形が矩形状に形成される。第３板金７３は、金属筐体７０の天面を構成する。第３板金７３は、水石鹸タンク４１の上部を覆うように、第１板金７１の上端部及び第２板金７２の上端部に取り付けられる。本実施形態においては、水石鹸タンク４１の上面は、平面状に形成され、第３板金７３の下面に近接した位置で、第３板金７３の下面に対向して配置される。
【００４４】
第３板金７３は、第１開口部７３１と、第２開口部７３２と、を有する。第１開口部７３１には、後述する水石鹸タンク４１の液体入口部４１２（後述）が挿通される。第２開口部７３２には、電源ケーブルが挿通される。
【００４５】
本実施形態では、水石鹸タンク４１が第１板金７１及び第２板金７２に収容された状態で、第３板金７３を取り付ける際には、第３板金７３の下面における第１開口部７３１の周縁の部分と、水石鹸タンク４１の上面における液体入口部４１２（後述）の外側の周縁の部分との間には、リング状のパッキン部材８が配置される。これにより、第３板金７３の下面における第１開口部７３１の周縁の部分と、水石鹸タンク４１の上面における液体入口部４１２（後述）の外側の周縁の部分との間において、水密性が確保され、金属筐体７０の内部に、水石鹸が侵入することを抑制できる。
【００４６】
以上のように構成される第１板金７１、第２板金７２及び第３板金７３は、複数のネジ１０３により固定されて、組み立てられる。
まず、第１板金７１に、第２板金７２を取り付ける。具体的には、第１板金７１の底面板７１１の上部に第２板金７２を配置すると共に、第１板金７１の背面板７１２の前面の左右方向Ｘの両端に第２板金７２の一対の側面板７２２，７２２の後端部を当接させる。そして、第１板金７１に第２板金７２を配置した状態で、第１板金７１の底面板７１１に形成された複数のねじ孔７１１ａ及び背面板７１２の左右方向Ｘの両端に形成された複数のねじ孔７１２ｂと、第２板金７２の底部及び側部に形成された複数のねじ孔７２２ｂとを、複数のネジ１０３で固定する。これにより、第１板金７１には、第２板金７２が取り付けられる。
【００４７】
次に、第１板金７１及び第２板金７２の上部に、第３板金７３を取り付ける。第１板金７１に第２板金７２が取り付けられた状態で、水石鹸タンク４１の上面における液体入口部４１２（後述）の外側の周縁にリンク状のパッキン部材８を配置し、第１板金７１及び第２板金７２の上部に、第３板金７３を配置する。そして、第１板金７１の上部に形成された複数のねじ孔７１２ｂ及び第２板金７２の上部に形成された複数のねじ孔７２２ｂと、第３板金７３の縁部に形成された複数のねじ孔７３ａとを、複数のネジ１０３で固定する。これにより、第１板金７１及び第２板金７２の上部には、第３板金７３が取り付けられる。
【００４８】
このようにして、第１板金７１、第２板金７２及び第３板金７３を、簡単に組み立てることができる。また、上記の作業と反対の作業を行うことで、第１板金７１、第２板金７２及び第３板金７３を、簡単に分解することもできる。これにより、第１板金７１及び第２板金７２から、第３板金７３を簡単に取り外してメンテナンスを行ったり、第１板金７１から、第２板金７２及び第３板金７３を簡単に取り外してメンテナンスを行ったりすることができるため、メンテナンス性を向上できる。特に、第１板金７１に制御ユニット６０や水石鹸タンク４１をはじめとしたすべての機能部品が固定されるため、第２板金７２及び第３板金７３の組み立てや取り外しを容易にすることができる。また、金属筐体７０を３つの板金（第１板金７１、第２板金７２、第３板金７３）により構成したため、４つ以上の板金で構成するよりも、取り扱いが容易で、かつ、製造コストを低減できる。
【００４９】
水石鹸タンク４１は、水石鹸吐出器具３０に供給される水石鹸を貯留する。水石鹸タンク４１は、図３及び図４に示すように、前後方向Ｙから視た側面視で、略逆Ｌ字形状に形成されている。本実施形態においては、水石鹸タンク４１は、例えば、ブロー成形により形成される。水石鹸タンク４１は、後述する上側貯留部４１１ａの底部が、略Ｌ字形状のタンク固定金具４１４の上面に固定され、タンク固定金具４１４を介して、第１板金７１に固定される。
【００５０】
タンク固定金具４１４は、図３に示すように、略逆Ｌ字形状に形成され、後述する上側貯留部４１１ａの下方に形成される空間Ｋに配置される。タンク固定金具４１４は、水石鹸タンク４１における上側貯留部４１１ａの底部を支持する。タンク固定金具４１４は、水石鹸タンク４１における上側貯留部４１１ａの底部の下方において前後方向Ｙに延びる第１固定板４１４ａと、第１固定板４１４ａの前方側Ｙ１の端部から下方に延びる第２固定板４１４ｂと、を有する。
【００５１】
第１固定板４１４ａは、左右方向Ｘに幅を有して前後方向Ｙに水平に延びる板状に形成され、後方側Ｙ２の端部が、背面板７１２に接続され、前方側Ｙ１の端部が、第２固定板４１４ｂの上端部に接続される。第１固定板４１４ａの上面は、水石鹸タンク４１における上側貯留部４１１ａの下面に当接する。
第２固定板４１４ｂは、左右方向Ｘに幅を有して上下方向Ｚに延びる板状に形成され、上端部が、第１固定板４１４ａの前方側Ｙ１の端部に接続され、下端部が、第１板金７１の底面板７１１の前方側Ｙ１の上面に接続される。
【００５２】
水石鹸タンク４１は、図３及び図４に示すように、タンク本体４１１と、液体入口部４１２と、取出口４１３と、を有する。タンク本体４１１は、上側貯留部４１１ａと、下側貯留部４１１ｂと、を有する。
【００５３】
上側貯留部４１１ａは、水石鹸タンク４１における上部に配置され、略直方体形状に形成され、平面視で矩形状に形成される。上側貯留部４１１ａの下部の左右方向Ｘの左側Ｘ１には、下側貯留部４１１ｂが接続される。図４に示すように、上側貯留部４１１ａの下部における下側貯留部４１１ｂが接続されない側の下部には、下方を向く下面である第１底面４１ａが形成される。第１底面４１ａは、上下方向Ｚにおいて、水石鹸タンク４１における最も下端の下端面である第２底面４１ｂよりも上方側に位置する。
【００５４】
下側貯留部４１１ｂは、上側貯留部４１１ａよりも小容量の貯留部である。下側貯留部４１１ｂは、上側貯留部４１１ａの左右方向Ｘの左側Ｘ１において、上側貯留部４１１ａの下部に接続されている。下側貯留部４１１ｂは、水石鹸タンク４１における下部に配置される。本実施形態においては、下側貯留部４１１ｂと上側貯留部４１１ａとは、上側貯留部４１１ａから下側貯留部４１１ｂに向かうに従って平面視の断面が小さくなる傾斜面で接続されている。
【００５５】
下側貯留部４１１ｂの左側Ｘ１の端部と、上側貯留部４１１ａの左側Ｘ１の端部とは、図４に示すように、上下方向に一直線上に位置するように配置されている。下側貯留部４１１ｂは、上側貯留部４１１ａの左右方向Ｘの中心に対して左側Ｘ１にずれた位置において、左側Ｘ１の端部を一致させた状態で配置されている。
【００５６】
下側貯留部４１１ｂの平面視における面積は、図５に示すように、上側貯留部４１１ａの平面視における面積よりも小さい。言い換えると、水石鹸タンク４１における最も下端の下端面である第２底面４１ｂは、水石鹸タンク４１における最も上端の上端面よりも、面積が小さい。上方側から視た場合に、下側貯留部４１１ｂの外形は、上側貯留部４１１ａの外形に隠れるように配置される。そのため、上側貯留部４１１ａにおける下側貯留部４１１ｂが接続されない側の下部に形成される第１底面４１ａと、金属筐体７０の第１板金７１の上面との間には、水石鹸用ポンプ４２や水石鹸供給管４３などの構成を配置可能な空間Ｋが形成される。
【００５７】
下側貯留部４１１ｂの下部には、下方を向く下面である第２底面４１ｂが形成される。第２底面４１ｂは、上下方向Ｚにおいて、第１板金７１の上面に配置される。第２底面４１ｂは、水石鹸タンク４１における最も下端の下端面である。
【００５８】
液体入口部４１２は、上側貯留部４１１ａの上面から上方に向けて円筒状に延びる。液体入口部４１２は、上方に向けて開口する。液体入口部４１２の外周面には、ねじ溝が形成されている。液体入口部４１２には、図３に示すように、水石鹸補給部４４が接続される。
【００５９】
水石鹸補給部４４は、図１及び図３に示すように、水石鹸タンク４１と手洗装置１の台１１０の上面とをつなぐホース４４５と、ホース４４５の上端部を台１１０の上面において塞ぐ蓋部材４４６と、ホース４４５の下端部が取り付けられた中間キャップ４４４と、シール部材４４２が上部に取り付けられるストレーナ４４１と、中間キャップ４４４とシール部材４４２との間に配置されるガスケット４４３と、を有する。中間キャップ４４４の内周面には、液体入口部４１２の外周面のねじ溝に係合するねじ溝が形成されている。
【００６０】
このように構成される水石鹸補給部４４においては、液体入口部４１２の上端部に、ストレーナ４４１が取り付けられたシール部材４４２を配置することで、シール部材４４２に取り付けられたストレーナ４４１は、液体入口部４１２の内部に配置される。この状態で、ガスケット４４３を介して、ホース４４５が取り付けられた中間キャップ４４４で、液体入口部４１２の開口を塞ぐ。このようにして、図４に示すように、液体入口部４１２には、水石鹸補給部４４が接続される。
【００６１】
取出口４１３は、水石鹸タンク４１に貯留された水石鹸を、水石鹸タンク４１の外部に取り出すための取出口である。取出口４１３は、図３及び図４に示すように、水石鹸タンク４１の下側貯留部４１１ｂの側面４１ｃに設けられる。取出口４１３は、上下方向Ｚにおいて、下側貯留部４１１ｂの第２底面４１ｂから上側貯留部４１１ａの第１底面４１ａまでの間の高さの位置に配置され、第２底面４１ｂよりも高い位置であり、かつ第１底面４１ａよりも第２底面４１ｂに近い位置に配置される。
【００６２】
取出口４１３は、側方に延びる筒状に形成される。取出口４１３は、上側貯留部４１１ａの下方に形成される空間Ｋに向けて側方に開口する。取出口４１３には、図４及び図５に示すように、水石鹸供給管４３が接続されている。水石鹸供給管４３は、水石鹸タンク４１の取出口４１３と水石鹸吐出器具３０とを接続する配管であり、水石鹸が流通する。水石鹸供給管４３の途中には、３つの水石鹸用ポンプ４２が設けられている。水石鹸供給管４３は、例えばプラスチック製のチューブ等、可撓性を有する部材で構成される。
【００６３】
水石鹸供給管４３は、図５に示すように、分岐配管としてのポンプ上流側供給管４３１と、ポンプ下流側供給管４３２と、を有する。ポンプ上流側供給管４３１は、水石鹸タンク４１の取出口４１３から３つの水石鹸用ポンプ４２の入口までのラインである。ポンプ下流側供給管４３２は、３つの水石鹸用ポンプ４２の出口から各水石鹸吐出器具３０までのラインである。水石鹸用ポンプ４２は、水石鹸タンク４１に貯留された水石鹸を水石鹸吐出器具３０に向けて送出する。
【００６４】
３つの水石鹸用ポンプ４２は、図４に示すように、上側貯留部４１１ａの下方の空間Ｋに配置されている。３つの水石鹸用ポンプ４２は、水石鹸タンク４１の底部の第２底面４１ｂよりも上方において、水石鹸タンク４１の側方に配置される。
３つの水石鹸用ポンプ４２は、図５に示すように、下側貯留部４１１ｂの側方において、金属筐体７０の第１板金７１の底面板７１１の上面にポンプ固定金具４２１を介して固定されている。
【００６５】
３つの水石鹸用ポンプ４２は、図５に示すように、第１手洗部１０Ａの水石鹸吐出器具に水石鹸を圧送する第１ポンプ４２Ａと、第２手洗部１０Ｂの水石鹸吐出器具に水石鹸を圧送する第２ポンプ４２Ｂと、第３手洗部１０Ｃの水石鹸吐出器具に水石鹸を圧送する第３ポンプ４２Ｃとからなる。水石鹸用ポンプ４２は、非自吸式のギアポンプである。なお、本実施形態において、特別に区別する必要が無い場合には、第１ポンプ４２Ａ、第２ポンプ４２Ｂ及び第３ポンプ４２Ｃを、「水石鹸用ポンプ４２」と記載する。
【００６６】
上側貯留部４１１ａの下方に形成される空間Ｋには、図５に示すように、第１ポンプ４２Ａ、第２ポンプ４２Ｂ及び第３ポンプ４２Ｃの一部分が配置される。
本実施形態においては、図５に示すように、第１ポンプ４２Ａは、下側貯留部４１１ｂの側方において、底面板７１１の左右方向Ｘの中央付近において前後方向Ｙの後方側Ｙ２に配置される。第２ポンプ４２Ｂは、下側貯留部４１１ｂの側方において、底面板７１１の左右方向Ｘの中央付近において第１ポンプ４２Ａよりも前方側Ｙ１に配置される。第３ポンプ４２Ｃは、下側貯留部４１１ｂの側方において、底面板７１１の左右方向Ｘにおける第１ポンプ４２Ａ及び第２ポンプ４２Ｂよりも右側Ｘ２において第２ポンプ４２Ｂよりも前方側Ｙ１に配置される。
【００６７】
３つの水石鹸用ポンプ４２は、制御ユニット６０と電気的に接続されている。３つの水石鹸用ポンプ４２は、制御ユニット６０から送信される制御信号に基づいて水石鹸タンク４１に貯留された水石鹸を水石鹸吐出器具３０に圧送して供給する。
【００６８】
３つの水石鹸用ポンプ４２は、水石鹸用ポンプ４２の上流側において、分岐配管としてのポンプ上流側供給管４３１を介して、水石鹸タンク４１の取出口４１３に接続され、水石鹸用ポンプ４２の下流側において、ポンプ下流側供給管４３２を介して、それぞれ対応する水石鹸吐出器具３０に接続されている。
【００６９】
ポンプ上流側供給管４３１は、取出口４１３に上流側の端部が接続されたタンク導出管４３１ａと、タンク導出管４３１ａの下流側の端部から分岐する第１分岐接続管４３１ｂ及び第２分岐接続管４３１ｃと、第１分岐接続管４３１ｂの下流側の端部から分岐する第３分岐接続管４３１ｄ及び第４分岐接続管４３１ｅと、を有する。
【００７０】
タンク導出管４３１ａは、水石鹸タンク４１の取出口４１３から第１分岐部Ｂ１までの配管である。タンク導出管４３１ａの下流側の端部は、第１分岐部Ｂ１において、Ｔ字状の継手Ｔを介して、第１分岐接続管４３１ｂと第２分岐接続管４３１ｃとに分岐される。
【００７１】
第１分岐接続管４３１ｂは、第１分岐部Ｂ１から第２分岐部Ｂ２までの配管である。第１分岐接続管４３１ｂの下流側の端部は、第２分岐部Ｂ２において、Ｔ字状の継手Ｔを介して、第３分岐接続管４３１ｄと第４分岐接続管４３１ｅとに分岐される。第３分岐接続管４３１ｄは、第２分岐部Ｂ２から第１ポンプ４２Ａの入口までの配管である。第４分岐接続管４３１ｅは、第２分岐部Ｂ２から第２ポンプ４２Ｂの入口までの配管である。
第２分岐接続管４３１ｃは、第１分岐部Ｂ１から第３ポンプ４２Ｃの入口までの配管である。
【００７２】
ポンプ下流側供給管４３２は、第１ポンプ導出管４３２ａと、第１供給管４３２ｂと、第２ポンプ導出管４３２ｃと、第２供給管４３２ｄと、第３ポンプ導出管４３２ｅと、第３供給管４３２ｆと、を有する。
【００７３】
第１ポンプ導出管４３２ａは、第１ポンプ４２Ａの出口から第１接続部Ｓ１までの配管である。第１ポンプ導出管４３２ａの下流側の端部は、第１接続部Ｓ１において、Ｌ字状の継手Ｔを介して、第１供給管４３２ｂに接続されている。
第１供給管４３２ｂは、第１接続部Ｓ１から、第１手洗部１０Ａの水石鹸吐出器具３０までの配管である。
【００７４】
第２ポンプ導出管４３２ｃは、第２ポンプ４２Ｂの出口から第２接続部Ｓ２までの配管である。第２ポンプ導出管４３２ｃの下流側の端部は、第２接続部Ｓ２において、Ｌ字状の継手Ｔを介して、第２供給管４３２ｄに接続されている。
第２供給管４３２ｄは、第２接続部Ｓ２から、第２手洗部１０Ｂの水石鹸吐出器具３０までの配管である。
【００７５】
第３ポンプ導出管４３２ｅは、第３ポンプ４２Ｃの出口から第３接続部Ｓ３までの配管である。第３ポンプ導出管４３２ｅの下流側の端部は、第３接続部Ｓ３において、Ｉ字状の継手Ｔを介して、第３供給管４３２ｆに接続されている。
第３供給管４３２ｆは、第３接続部Ｓ３から、第３手洗部１０Ｃの水石鹸吐出器具３０までの配管である。
【００７６】
第１供給管４３２ｂ、第２供給管４３２ｄ及び第３供給管４３２ｆは、金属筐体７０の内部から、金属筐体７０の第２板金７２の右側Ｘ２の側面板７２２に形成された開口７２ａ（図３参照）を介して、金属筐体７０の外部に導出されている。第１供給管４３２ｂ、第２供給管４３２ｄ及び第３供給管４３２ｆの途中には、図３に示すように、それぞれ、金属筐体７０の外側における金属筐体７０の近傍において、逆止弁４３５が配置されている。逆止弁４３５により、水石鹸供給管４３を流通する水石鹸の水石鹸用ポンプ４２側への逆流が防止される。
【００７７】
エア供給部５０は、図２に示すように、３つのエアポンプ５１と、空気供給管５２と、を備える。３つのエアポンプ５１は、それぞれ、第１手洗部１０Ａ、第２手洗部１０Ｂ及び第３手洗部１０Ｃの水石鹸吐出器具３０に対応して設けられる。
【００７８】
空気供給管５２は、水石鹸吐出器具３０に水石鹸の泡を形成するための空気を供給する配管である。空気供給管５２の上流側の端部はエアポンプ５１に接続されており、空気供給管５２の下流側の端部は、水石鹸吐出器具３０に接続されている。エアポンプ５１は、モータ等の駆動部を有し、駆動部を駆動させることで空気を圧縮し、空気供給管５２を通じて空気を下流側に圧送する。エアポンプ５１は後述の制御ユニット６０と電気的に接続されており、制御ユニット６０から送信される制御信号に基づいて、空気を水石鹸吐出器具３０に供給する。
【００７９】
次に、本実施形態に係る水石鹸吐出装置３の動作について簡単に説明する。
人が水石鹸吐出器具３０に手を近づけて、センサ３２の検知範囲内に人の手が入ると、センサ３２からの検知信号は、制御ユニット６０に送信される。検知信号を受信した制御ユニット６０は、制御信号を水石鹸用ポンプ４２及びエアポンプ５１に送信する。制御信号を受信した水石鹸用ポンプ４２は、水石鹸タンク４１に貯留された水石鹸を、水石鹸供給管４３を通じて水石鹸吐出器具３０に圧送して供給する。同様に、制御信号を受信したエアポンプ５１は、駆動部を駆動させることで空気を圧縮し、空気供給管５２を通じて空気を水石鹸吐出器具３０に供給する。水石鹸吐出器具３０に供給された水石鹸及び空気は、水石鹸吐出器具３０において混合され、泡となって、水石鹸吐出器具３０の吐出口部３３の先端から吐出される。そして、所定時間が経過すると吐出が停止される。
【００８０】
以上説明した本実施形態に係る水石鹸吐出装置３によれば、以下のような効果を奏する。
本実施形態に係る水石鹸吐出装置３は、手洗装置１に設けられ、水石鹸を吐出する水石鹸吐出器具３０と、水石鹸吐出器具３０に供給される水石鹸を貯留する水石鹸タンク４１と、水石鹸タンク４１の側面４１ｃに設けられた取出口４１３と、取出口４１３に接続され、水石鹸タンク４１に貯留された水石鹸を水石鹸吐出器具３０に向けて送出する水石鹸用ポンプ４２と、を備える。
そのため、水石鹸タンク４１の側面４１ｃに設けられた取出口４１３から水石鹸用ポンプ４２に水石鹸を導出できる。これにより、タンクの上方からポンプの構成部品を差し込む場合よりも、水石鹸タンク４１の形状をシンプルな形状に構成できる。
また、水石鹸タンク４１をシンプルな形状にできるため、射出成形よりも安価なブロー成形で成型できる。これにより、製造コストを低減できる。
また、水石鹸タンク４１の側面４１ｃに設けられた取出口４１３と水石鹸用ポンプ４２とをポンプ上流側供給管４３１でつなぐだけのシンプルな構造で水石鹸を導出できる。
また、取出口４１３が側面４１ｃに設けられているため、底面に設けられる場合に比べて底面に溜まった塵や埃を吸い込みにくく、水石鹸用ポンプ４２がつまるなどの不具合が起こりにくい。さらに、取出口４１３が側面４１ｃのうち第２底面４１ｂよりも高い位置に配置されると、塵や埃をより吸い込みにくくできる。
【００８１】
また、本実施形態に係る水石鹸吐出装置３においては、水石鹸用ポンプ４２は、水石鹸タンク４１の側方に配置される。これにより、水石鹸用ポンプ４２を水石鹸タンク４１の側方に配置することで、水石鹸吐出装置３を上下方向においてコンパクトに形成できる。
【００８２】
本実施形態に係る水石鹸吐出装置３においては、水石鹸タンク４１は、上部に配置される上側貯留部４１１ａと、上側貯留部４１１ａの下部に接続され上側貯留部４１１ａよりも平面視における面積が小さい下側貯留部４１１ｂと、を有する。そのため、上側貯留部４１１ａにおける下側貯留部４１１ｂが接続されない側の下方に、空間Ｋを形成できる。そのため、上側貯留部４１１ａの下方に形成された空間Ｋに水石鹸用ポンプ４２を配置できるため、水石鹸吐出装置３をコンパクトに形成できる。
【００８３】
本実施形態に係る水石鹸吐出装置３においては、水石鹸タンク４１及び水石鹸用ポンプ４２を収容する金属製の金属筐体７０を備える。水石鹸タンク４１や水石鹸用ポンプ４２を金属筐体７０に固定できる。そのため、安定して水石鹸を水石鹸吐出器具３０に供給できる。また、水石鹸タンク４１及び水石鹸用ポンプ４２が金属筐体７０に囲まれるため、水石鹸タンク４１及び水石鹸用ポンプ４２の音を遮ることができ、外部への騒音を低減できる。
【００８４】
また、水石鹸用ポンプ４２を複数備え、複数の水石鹸用ポンプ４２は、ポンプ上流側供給管４３１を介して取出口４１３に接続される。そのため、水石鹸用ポンプ４２が複数であっても、水石鹸タンク４１の取出口４１３から分岐させて複数の水石鹸用ポンプ４２に接続できる。また、タンクの上方から複数のポンプの構成部品を差し込む必要がない。これにより、水石鹸タンク４１の形状をよりシンプルな形状に構成できる。
【００８５】
本発明は上記実施形態に限定されるものではなく、本発明の目的を達成できる範囲での変形、改良等は本発明に含まれる。
例えば、前記実施形態においては、取出口４１３を水石鹸タンク４１の側面４１ｃに設けたが、これに限定されない。例えば、上側貯留部４１１ａの下面である第１底面４１ａに設けてもよいし、下側貯留部４１１ｂの下面である第２底面４１ｂ（水石鹸タンク４１の最も下端の下端面）に設けてもよい。
【００８６】
前記実施形態においては、水石鹸吐出器具３０を３つ備え、水石鹸吐出器具３０に対応する手洗部１０、水石鹸用ポンプ４２、エアポンプ５１を３組ずつ備えるように構成したが、これに限定されない。例えば、水石鹸吐出器具３０を１つ、２つ又は４つ以上備え、水石鹸吐出器具３０に対応する手洗部１０、水石鹸用ポンプ４２、エアポンプ５１を、例えば、１組、２組又は４組以上ずつ備えるように構成してもよい。
【００８７】
前記実施形態の水石鹸用ポンプ４２は、取出口４１３が側面又は底面に設けられるため、非自吸式のポンプにすることが容易であるが、自吸式のポンプであってもよい。
【００８８】
また、上記実施形態においては、水石鹸吐出装置３を、センサ３２を備え、物体を検知して自動で水石鹸を吐出する構成となっているが、これに限定されず、水石鹸吐出装置３は手動操作により水石鹸の吐出動作を行うものであってもよい。
【符号の説明】
【００８９】
１  手洗装置（手洗用の設備）
３  水石鹸吐出装置
３０  水石鹸吐出器具
４１  水石鹸タンク（タンク）
４１ｃ  側面
４２  水石鹸用ポンプ（ポンプ）
７０  金属筐体（筐体）
４１１  上側貯留部
４１２  下側貯留部
４１２ｂ  取出口
４３１  上流側供給管（分岐配管）
【図１】
2018019778.tif 000003
【図２】
2018019778.tif 000004
【図３】
2018019778.tif 000005
【図４】
2018019778.tif 000006
【図５】
2018019778.tif 000007